(57)【要約】【課題】現金処理機に収納するつり銭の最適化を図り、かつ、複数台の現金処理機の間でつり銭有高のバランスを図るようにする。【解決手段】本発明は、複数の現金処理機における過去の金種別つり銭有高データを記憶する記憶手段と、複数の現金処理機のそれぞれに収納される現在の金種別つり銭有高データを取得する管理データ取得手段と、各現金処理機の現在の金種別つり銭有高データと、記憶手段の対応する現金処理機の過去の金種別つり銭有高データとを比較し、その比較結果に基づいて、各現金処理機に収納すべき金種別つり銭有高を判断する金種別つり銭有高比較判別手段と、金種別つり銭有高の判断結果を出力する判断結果出力手段とを備えることを特徴とする現金管理装置である。【選択図】      図１
2014052871.tif 000002
【特許請求の範囲】
【請求項１】
複数の現金処理機における過去の金種別つり銭有高データを記憶する記憶手段と、
上記複数の現金処理機のそれぞれに収納される現在の金種別つり銭有高データを取得する管理データ取得手段と、
上記各現金処理機の現在の金種別つり銭有高データと、上記記憶手段の対応する現金処理機の過去の金種別つり銭有高データとを比較し、その比較結果に基づいて、上記各現金処理機に収納すべき金種別つり銭有高を判断する金種別つり銭有高比較判別手段と、
金種別つり銭有高の判断結果を出力する判断結果出力手段と
を備えることを特徴とする現金管理装置。
【請求項２】
上記複数の現金処理機から取得する取引前の金種別つり銭有高データと取引後の金種別つり銭有高データとに基づく上記各現金処理機における金種別つり銭有高の増減結果に応じて、上記各現金処理機の売上金有高データとつり銭有高データとの間で有高の充当処理を行い、上記複数の現金処理機の間でのつり銭有高の調整を行う現金有高調整手段を備えることを特徴とする請求項２に記載の現金管理装置。
【請求項３】
上記金種別つり銭有高判別手段が、
上記各現金処理機における金種別つり銭有高の変動値を所定期間に亘って求め、上記金種別つり銭有高の変動値と、過去の金種別つり銭有高データとを比較し、その比較結果に基づいて、上記各現金処理機に収納すべき金種別つり銭有高を判断する金種別つり銭有高変動値比較判別部を備える
ことを特徴とする請求項１又は２に記載の現金管理装置。
【請求項４】
上記金種別つり銭有高変動値比較判別部が、
所定期間に亘る上記各現金処理機の金種別つり銭有高の変動値と、上記各現金処理機の現在の金種別つり銭有高データとに基づき、上記現在の金種別つり銭有高データが上記金種別つり銭有高の変動値を超えている場合に、上記金種別つり銭有高の変動値と、上記過去の金種別つり銭有高データとの比較結果に基づいて、上記各現金処理機に収納すべき金種別つり銭有高を判断するものであることを特徴とする請求項３に記載の現金管理装置。
【請求項５】
上記金種別つり銭有高変動値比較判別部が、
上記各現金処理機から取得する、金種別つり銭有高の各日の最大値及び最小値に基づいて各日の金種別つり銭有高の変動値を求め、所定期間内の各日の金種別つり銭有高の平均的な変動値を、上記各現金処理の金種別つり銭有高の変動値とすることを特徴とする請求項３又は４に記載の現金管理装置。
【請求項６】
上記金種別つり銭有高判別手段が、
上記各現金処理機から取得した売上金データに基づいて、上記各現金処理機に準備すべき金種別つり銭有高値を予測し、予測した金種別つり銭有高値と現在の金種別つり銭有高データとを比較し、その比較結果に基づいて、上記各現金処理機に収納すべき金種別つり銭有高を判断する金種別つり銭有高予測判別部
を備えることを特徴とする請求項１〜３のいずれかに記載の現金管理装置。
【請求項７】
複数の現金処理機と、
上記複数の現金処理機から取得する管理データに基づいて、上記複数の現金処理機の現金管理を行う現金管理装置と
を備える現金管理システムにおいて、
上記現金管理装置は、
上記複数の現金処理機における過去の金種別つり銭有高データを記憶する記憶手段と、
上記複数の現金処理機のそれぞれに収納される現在の金種別つり銭有高データを取得する管理データ取得手段と、
上記各現金処理機の現在の金種別つり銭有高データと、上記記憶手段の対応する現金処理機の過去の金種別つり銭有高データとを比較し、その比較結果に基づいて、上記各現金処理機に収納すべき金種別つり銭有高を判断する金種別つり銭有高比較判別手段と、
金種別つり銭有高の判断結果を出力する判断結果出力手段と
を備えることを特徴とする現金管理システム。
【請求項８】
複数の現金処理機の現金管理を行う現金管理装置の現金管理プログラムにおいて、
上記現金管理装置が、上記複数の現金処理機における過去の金種別つり銭有高データを記憶する記憶手段を備え、
コンピュータを、
上記複数の現金処理機のそれぞれに収納される現在の金種別つり銭有高データを取得する管理データ取得手段、
上記各現金処理機の現在の金種別つり銭有高データと、上記記憶手段の対応する現金処理機の過去の金種別つり銭有高データとを比較し、その比較結果に基づいて、上記各現金処理機に収納すべき金種別つり銭有高を判断する金種別つり銭有高比較判別手段、
金種別つり銭有高の判断結果を出力する判断結果出力手段
として機能することを特徴とする現金管理プログラム。
【発明の詳細な説明】
【技術分野】
【０００１】
本発明は、現金管理装置、現金管理システム及び現金管理プログラムに関し、例えば、１又は複数の現金処理機からの取引データに基づいて現金管理を行う現金管理装置、現金管理システム及び現金管理プログラムに適用し得るものである。
【背景技術】
【０００２】
図２は、従来の現金管理システムの構成を示す構成図である。図２は、例えば、運輸機関のある支店におけるシステム構成である。図２において、各支店には１台又は複数台の現金処理機２−１〜２−ｎが配置されている。
【０００３】
配送前に、担当者が現金処理機２−１〜２−ｎからつり銭を出金し、配送後に、担当者がつり銭及び売上金を合わせて現金処理機２−１〜２−ｎに入金する。現金処理機２−１〜２−ｎは、入金額から出金額を差し引くことで売上金を算出している。
【０００４】
また、現金処理機２−１〜２−ｎは、出金額及び入金額を担当者毎に紐付けして管理している。これにより、現金処理機２−１〜２−ｎは、出金額、入金額、及び入金額から出金額を差し引いた売上金を、金種別に担当者毎に算出している（特許文献１参照）。
【０００５】
そして、現金処理機２−１〜２−ｎは、所定のタイミングで、担当者毎の取引データ、総取引の取引データ、機内現金有高データ、釣銭有高データ、売上金データ、障害データ等を現金管理装置９に送信している。
【０００６】
また、担当者は取引に係る決済データを決済管理サーバ３に登録し、決済管理サーバ３は、所定のタイミングで決済データを現金管理装置９に送信している。
【０００７】
これにより、現金管理装置９は、現金処理機２−１〜２−ｎからの取引データと決済データとを突き合わせて取引の連携管理を行っている。
【０００８】
図２に示すように、支店は、職員の人数や取引数等により、複数台の現金処理機２−１〜２−ｎを配置させることがある。このような場合でも、従来、１台の現金管理装置９が、複数の現金処理機２−１〜２−ｎの取引データや担当者毎の取引データを管理している。
【先行技術文献】
【特許文献】
【０００９】
【特許文献１】特開２０１０−２５７３１１号公報
【発明の概要】
【発明が解決しようとする課題】
【００１０】
しかしながら、１台の現金管理装置が複数台の現金処理機の現金管理を行う場合、以下のような課題が生じ得る。
【００１１】
第１に、１台の現金処理機につり銭として収納する現金の管理が非常に難しく、不要な現金が発生したり又は不足したりするという課題が生じ得る。
【００１２】
従来の現金管理システムは、現時点のつり銭有高とつり銭未返納分、売上金を管理するのみである。そのため、つり銭が不足しているか又は過剰なのかを判別できないため、各支店ではつり銭不足とならないように余剰なつり銭も現金処理機に収納している。
【００１３】
しかし、各支店が余剰につり銭を収納しているため、全支店で合算すると余剰つり銭の合計金額が膨大となり、運輸機関全体としてつり銭として使わない不要な現金が発生している。
【００１４】
使用されるつり銭以外に余剰なつり銭を管理するため、管理者の責任が重くなっている。また、不要な現金をつり銭として充当しているため、運輸機関として現金の有効活用ができないという問題が生じ得る。そこで、現金処理機に収納する最適なつり銭有高を求めることが望まれる。
【００１５】
第２に、１台の現金管理装置が複数台の現金処理機を管理する場合、取引前と取引後で、現金処理機の間でつり銭有高のバランスが崩れてしまうという課題が生じ得る。
【００１６】
支店において１台の現金処理機が配置されている場合、担当者はその現金処理機を使用して入出金処理を行う。従って、出金したつり銭は、入金時に必ず返納される。そのため、つり銭の金額の変動はない。
【００１７】
しかし、複数台の現金処理機が配置されている場合、担当者が、出金に利用する現金処理機と、入金に利用する現金処理機とが異なることがある。このような場合、各現金処理機の現金有高が変わってしまい、つり銭の金額が変動してしまうことがある。
【００１８】
つまり、各現金処理機に収納するつり銭の金額を管理者が計画しても、つり銭不足のものが生じたり又は過剰に不要な現金があるものが生じたりしてしまうことがある。そのため、つり銭有高のバランスが崩れてしまい、つり銭不足により出金できない場合があった。
【００１９】
図３は、取引前の２台の現金処理機のつり銭有高及び現金有高を説明する図である。図３に示すように、現金処理機２−１には、取引前のつり銭として５０，０００円を収納し、現金処理機２−２には、取引前のつり銭として１００，０００円を収納している。勿論、取引前の現金有高も、つり銭有高と同じである。
【００２０】
この状態で、図４に示すように、担当者１及び担当者３が現金処理機２−１で出金し、担当者２及び担当者４が現金処理機２−２で出金したとする。また、担当者４は現金処理機２−１で入金し、担当者１、２、３は現金処理機２−２で入金したとする。
【００２１】
この場合、図４に示すように、現金処理機２−１のつり銭有高は１０，０００円であり、現金処理機２−２のつり銭有高は１４０，０００円となり、取引前のつり銭有高と一致せず、つり銭有高のバランスが崩れてしまう。
【００２２】
そのため、現金処理機に収納するつり銭の最適化を図り、かつ、複数台の現金処理機の間でつり銭有高のバランスを図ることができる現金管理装置、現金管理システム及び現金管理プログラムが求められている。
【課題を解決するための手段】
【００２３】
かかる課題を解決するために、第１の本発明は、（１）複数の現金処理機における過去の金種別つり銭有高データを記憶する記憶手段と、（２）複数の現金処理機のそれぞれに収納される現在の金種別つり銭有高データを取得する管理データ取得手段と、（３）各現金処理機の現在の金種別つり銭有高データと、記憶手段の対応する現金処理機の過去の金種別つり銭有高データとを比較し、その比較結果に基づいて、各現金処理機に収納すべき金種別つり銭有高を判断する金種別つり銭有高比較判別手段と、（４）金種別つり銭有高の判断結果を出力する判断結果出力手段とを備えることを特徴とする現金管理装置である。
【００２４】
第２の本発明は、（Ａ）複数の現金処理機と、（Ｂ）複数の現金処理機から取得する管理データに基づいて、複数の現金処理機の現金管理を行う現金管理装置とを備える現金管理システムにおいて、現金管理装置は、（１）複数の現金処理機における過去の金種別つり銭有高データを記憶する記憶手段と、（２）複数の現金処理機のそれぞれに収納される現在の金種別つり銭有高データを取得する管理データ取得手段と、（３）各現金処理機の現在の金種別つり銭有高データと、記憶手段の対応する現金処理機の過去の金種別つり銭有高データとを比較し、その比較結果に基づいて、各現金処理機に収納すべき金種別つり銭有高を判断する金種別つり銭有高比較判別手段と、（４）金種別つり銭有高の判断結果を出力する判断結果出力手段とを備えることを特徴とする現金管理システムである。
【００２５】
第３の本発明は、複数の現金処理機の現金管理を行う現金管理装置の現金管理プログラムにおいて、現金管理装置が、複数の現金処理機における過去の金種別つり銭有高データを記憶する記憶手段を備え、コンピュータを、（１）複数の現金処理機のそれぞれに収納される現在の金種別つり銭有高データを取得する管理データ取得手段、（２）各現金処理機の現在の金種別つり銭有高データと、記憶手段の対応する現金処理機の過去の金種別つり銭有高データとを比較し、その比較結果に基づいて、各現金処理機に収納すべき金種別つり銭有高を判断する金種別つり銭有高比較判別手段、（３）金種別つり銭有高の判断結果を出力する判断結果出力手段として機能することを特徴とする現金管理プログラムである。
【発明の効果】
【００２６】
本発明によれば、現金処理機に収納するつり銭の最適化を図り、かつ、複数台の現金処理機の間でつり銭有高のバランスを図ることができる。
【図面の簡単な説明】
【００２７】
【図１】実施形態の現金管理システムの全体構成を示す全体構成図である。
【図２】従来の現金管理システムの構成を示す構成図である。
【図３】従来の取引前の２台の現金処理機のつり銭有高及び現金有高を説明する図である。
【図４】従来の現金処理機のつり銭有高及び現金有高を説明する図である。
【図５】実施形態の現金処理機の内部構成を示す内部構成図である。
【図６】実施形態の現金管理装置の内部構成を示す内部構成図である。
【図７】運輸機関における現金管理システムの全体の運用の仕方を説明する説明図である。
【図８】実施形態の過去のつり銭有高との比較判別処理を示すフローチャートである。
【図９】実施形態のつり銭有高変動値の比較判別処理を示すフローチャートである。
【図１０】実施形態のつり銭有高の予測処理を示すフローチャートである。
【図１１】実施形態の現金の調整処理を示すフローチャートである。
【図１２】実施形態の現金処理機の取引前のつり銭有高及び現金有高を説明する説明図である。
【図１３】実施形態の現金処理機の取引後の管理データを説明する説明図である。
【図１４】実施形態の現金処理機の外観を示す外観図である。
【発明を実施するための形態】
【００２８】
（Ａ）主たる実施形態
以下では、本発明の現金管理装置、現金管理システム及び現金管理プログラムの実施形態を、図面を参照しながら詳細に説明する。
【００２９】
（Ａ−１）実施形態の構成
（Ａ−１−１）全体構成
図１は、この実施形態の現金管理システムの全体構成を示す全体構成図である。図１は、例えば、郵便事業者等の運輸機関のある支店において構築されるシステム構成を例示する。
【００３０】
図１において、この実施形態の現金管理システム１０は、複数台（図１では２台）の現金管理装置１−１及び１−２、複数台（図１では２台）の現金処理機２−１及び２−２、決済管理サーバ３、端末４、携帯端末５、ネットワーク装置６、プリンタ８を有する。
【００３１】
現金処理機２−１及び２−２は、硬貨や紙幣等の金銭を金種別に保管し、利用者の指示により出金処理や入金処理を行うものである。現金処理機２−１及び２−２は、例えば運輸機関等の担当者（以下、利用者ともいう）毎の出金額及び入金額を管理する。さらに、現金処理機２−１及び２−２は、つり銭有高として金種別枚数を管理すると共に、担当者毎の売上金を計上するものである。
【００３２】
ここで、出金処理とは、配送前に、利用者により指定された金種及び枚数を、つり銭として出金する処理をいう。また、入金処理とは、利用者により投入された金銭を金種別で計数し、これにより得た入金データと当該利用者の出金データとに基づいて売上金を計上する処理をいう。
【００３３】
なお、図１では、２台の現金処理機２−１及び２−２を備える場合を例示するが、３台以上であってもよい。
【００３４】
現金管理装置１−１及び１−２は、それぞれ対応する現金処理機２−１及び２−２の上位端末に相当するものである。
【００３５】
現金管理装置１−１及び１−２は、対応する現金処理機２−１及び２−２から、つり銭有高データ、出金データ、入金データ、売上金データ等を取得し、各現金処理機２−１及び２−２の現金管理を行うものである。
【００３６】
ここで、現金管理装置１−１は現金処理機２−１の現金管理を行うものである。現金管理装置１−２は現金処理機２−２の現金管理を行うものである。なお、図１では、２台の現金管理装置１−１及び１−２を備えるが、現金処理機の台数に応じた台数の現金管理装置を備えるようにしてもよい。
【００３７】
現金管理装置１−１及び１−２が、それぞれ対応する現金処理機２−１及び２−２の現金管理を行うことにより、各現金処理機２−１及び２−２の入出金データを担当者毎に管理することができ、かつ、各現金処理機２−１及び２−２の売上金の計上及びつり銭有高を管理することができる。
【００３８】
また、現金管理装置１−１は、全ての現金処理機の管理データを一括して管理するものである。すなわち、現金管理装置１−１は、他の現金管理装置１−２の管理データを取得し、複数台の現金処理機２−１及び２−２のつり銭有高データ、売上金データ、担当者毎の入出金データ等を一括して管理する。
【００３９】
端末４は、利用者操作を受けて、取引に係る決済データを決済管理サーバ３に登録するものである。端末４は、例えば、支店における窓口担当者が利用するものであり、例えばパーソナルコンピュータ（ＰＣ）等が該当する。
【００４０】
携帯端末５は、利用者操作を受けて、無線通信により、取引に係る決済データを決済管理サーバ３に登録するものである。携帯端末３は、例えば、通信機能を有する携帯端末であり、いわゆるスマートフォン、いわゆるタブレット端末、携帯電話機、ＰＨＳ端末等が該当する。例えば、携帯端末５は、外出先の担当者や又は支店内で携帯端末５を用いて案内する担当者等により利用されるものである。携帯端末５からのデータは、移動通信ネットワーク７を通じてネットワーク装置６に与えられ、決済管理サーバ３に登録される。
【００４１】
決済管理サーバ３は、端末４や携帯端末５からの決済データを管理するものである。決済管理サーバ３は、管理する決済データを所定のタイミングで現金管理装置１−１及び１−２に与えるものである。
【００４２】
プリンタ８は、現金管理装置１−１及び１−２からの管理データを出力するものである。
【００４３】
（Ａ−１−２）現金処理機２−１及び２−２の構成
以下では、現金処理機２−１及び２−２は共に同様の構成を備えるため、現金処理機２として説明する。
【００４４】
図１４は、この実施形態の現金処理機２の外観を示す外観図である。図１４において、現金処理機２は、表示部１０３、操作部１０４、カードリーダ１０５、硬貨入金口、硬貨リジェクト口１１７、紙幣入出金口２２１、硬貨処理機１００、紙幣処理機２００を有する。
【００４５】
図５は、この実施形態の現金処理機２の内部構成を示す内部構成図である。
【００４６】
図５において、現金処理機２は、大別して、硬貨処理機１００、紙幣処理機２００、表示部１０３、操作部１０４、カードリーダ１０５、伝票記録部１０６、記憶部１０７、主制御部１０８、通信部１０９を有する。
【００４７】
表示部１０３は、例えば液晶ディスプレイ（ＬＣＤ）等により、現金処理機２の各種処理操作の案内、入力画面、入力情報、金種別の入金金額又は出金金額等を表示する表示手段である。
【００４８】
操作部１０４は、利用者が操作するものであり、例えば、キーボードやテンキーなどの物理的な入力手段や、表示部１０３上に配置されたタッチパネル等の入力手段を適用することができる。
【００４９】
カードリーダ１０５は、利用者が使用するＩＤカードに格納されている情報を読み取り、主制御部１０８に読み取り情報を与えるものである。これにより、ＩＤカードに格納されている担当者識別情報が読み取られ、入金データ及び出金データを担当者識別情報に対応付けて管理することができる。なお、担当者識別情報については、カードリーダ１０５による読み取りではなく、利用者が、操作部１０４を介して自身の担当者識別情報を入力するようにしてもよい。
【００５０】
伝票記録部１０６は、硬貨処理機１００や紙幣処理機２００で行われた入金処理又は出金処理の金額、金種別枚数等を伝票に記録して出力するものである。伝票記録部１０６は、例えば、プリンタ等を適用することができる。
【００５１】
記憶部１０７は、入金・出金処理履歴、回収庫交換履歴、釣銭収納庫入出金履歴、回収庫入金履歴等を格納するカウンタテーブルを有したり、また後述する主制御部１０８が実行する制御プログラムを格納したり、更に主制御部１０８による処理結果も記憶するものである。
【００５２】
主制御部１０８は、記録部７に格納された制御プログラムに基づいて、現金処理機２全体の処理を制御するものである。主制御部１０８は、つり銭出金処理や入金処理を行う入出金処理機能や、つり銭有高を管理するつり銭有高管理機能を有する。
【００５３】
硬貨処理機１００は、硬貨を金種別に収納・管理するものである。
【００５４】
硬貨処理機１００は、投入される硬貨を一括して受け入れる硬貨入金口１１１と、この硬貨入金口１１１に受け入れた硬貨を１枚ずつ分離して、硬貨の金種等を鑑別すると共に鑑別した硬貨を金種毎に計数する硬貨鑑別部１１２と、この硬貨鑑別部１１２で鑑別計数された硬貨を一時保留する硬貨一時保留部１１３と、つり銭準備金として使用する硬貨を金種別に収納する複数の釣銭用硬貨収納庫１１４、入金硬貨を金種別に収納する硬貨回収庫１１５と、つり銭用の硬貨を出金するための硬貨出金庫１１６と、硬貨リジェクト口１１７と、制御プログラムに基づいて硬貨処理機１００全体の動作制御を行う制御部１１８を有する。
【００５５】
例えば、硬貨一時保留部１１３、釣銭用硬貨収納庫１１４、硬貨回収庫１１５、及び硬貨出金庫１１６は金種毎に分けて硬貨を集積、収納できるように内部が区切られている。
【００５６】
また例えば、硬貨入金口１１１と硬貨鑑別部１１２との間には、分離部により分離された硬貨を搬送する搬送ベルト等による搬送路が設けられている。また、釣銭用硬貨収納庫１１４と硬貨回収庫１１５及び硬貨出金庫１１６との間には、釣銭用硬貨収納庫１１４から排出される硬貨を硬貨回収庫１１５と硬貨出金庫１１６のいずれかに導く振分け手段と、通過する硬貨を金種毎に計数する計数手段とが設けられている。
【００５７】
紙幣処理機２００は、紙幣を金種別に収納・管理するものである。
【００５８】
紙幣処理機２００は、入金処理時に投入される紙幣を一括して受け入れると共に出金処理時に釣銭としての紙幣を排出する紙幣入出金口２２１と、この紙幣入出金口２２１に受け入れた紙幣を１枚ずつ分離して、紙幣の金種等を鑑別すると共に鑑別した紙幣を金種毎に計数する紙幣鑑別部２２２と、この紙幣鑑別部２２２で鑑別計数された紙幣を集積して一時保留する紙幣一時保留部２２３と、釣銭準備金として使用する特定金種（例えば、五千円、千円）の紙幣を金種別に収納する釣銭用紙幣収納庫２２４と、入金紙幣を金種別に収納する紙幣回収庫２２５と、紙幣リジェクト部２２６と、制御プログラムに基づいて紙幣処理機２００全体の動作制御を行う制御部２２７を少なくとも有して構成される。
【００５９】
ここで、例えば、一時保留部２２３には紙幣を繰出す繰出し手段が設けられている。また例えば、釣銭用紙幣収納庫２２４にも紙幣の集積手段が紙幣を搬送路に繰り出す繰出し手段と共に設けられている。
【００６０】
なお、硬貨処理機１００の制御部１１８及び紙幣処理機２００の制御部２２７は主制御部１０８の指示により硬貨処理機１００及び紙幣処理機２００を制御する。
【００６１】
通信部１０９は、ネットワーク（例えばＬＡＮ）を介して、対応する現金管理装置１−１及び１−２との間で情報の授受を行うものであり、少なくとも、つり銭有高データ、売上金データ、担当者毎の入出金データ等の管理データを、対応する現金管理装置１−１及び１−２に与えるものである。
【００６２】
（Ａ−１−３）現金管理装置１−１の内部構成
図６は、この実施形態の現金管理装置１−１の内部構成を示す内部構成図である。
【００６３】
図６において、この実施形態の現金管理装置１−１は、管理データ取得部３１０、データベース３２０、過去つり銭有高比較判別部３３０、つり銭有高変動値比較判別部３４０、つり銭有高予測部３５０、現金バランス調整部３６０、判別結果出力部３７０を有する。
【００６４】
管理データ取得部３１０は、現金処理機２−１及び２−２の現金管理に関する管理データを取得して、データベース３２０に格納するものである。管理データとしては、例えば、各現金処理機２−１及び２−２における、つり銭有高データ、売上金データ、担当者毎の入出金データ等である。
【００６５】
データベース３２０は、各現金処理機２−１及び２−２の管理データ（つり銭有高データ、売上金データ、担当者毎の入出金データ等）、過去のつり銭有高データ等を記憶するものである。
【００６６】
過去つり銭有高比較判別部３３０は、過去のつり銭有高と現在のつり銭有高とを比較して、つり銭有高の金種別の不足枚数又は過剰枚数を判別するものである。
【００６７】
この実施形態では、過去のつり銭有高が前年同日のつり銭有高である場合を例示する。しかし、過去のつり銭有高が前年同日のつり銭有高に限定されるものではなく、例えば、前年の正月期間（１月１日〜１月３日）、前年のお盆期間（８月１０日〜８月１５日）等の特定のイベント期間や、利用者が指定した特定期間などのように、過去の特定期間におけるつり銭有高の金種別枚数の平均値としても良い。
【００６８】
また、過去つり銭有高比較判別部３３０は、各現金処理機２−１及び２−２毎の金種別のつり銭有高を判別するようにしてもよいし、全ての現金処理機２−１及び２−２の金種別のつり銭有高の総額を判別するようにしてもよい。
【００６９】
過去つり銭有高比較判別部３３０は、データベース３２０に記憶されている前年度の同日のつり銭有高を取得する過去データ取得部３３１と、前年度の同日のつり銭有高と現在のつり銭有高とを比較して、現在のつり銭有高の不足枚数又は過剰回数を金種毎に求める過去データ比較部３３２とを有する。
【００７０】
つり銭有高変動値比較判別部３４０は、過去の所定期間内でのつり銭有高の平均変動値を金種別で求め、金種別の平均変動値と前年同日の金種別のつり銭有高とを比較して、つり銭有高の金種別の必要枚数を判別するものである。
【００７１】
また、つり銭有高変動値比較判別部３４０は、各現金処理機２−１及び２−２毎の金種別のつり銭有高を判別するようにしてもよいし、全ての現金処理機２−１及び２−２の金種別のつり銭有高の総額を判別するようにしてもよい。
【００７２】
つり銭有高変動値比較判別部３４０は、期間設定部３４１、平均変動値算出部３４２、必要枚数算出部３４３、つり銭補充判別部３４４を有する。
【００７３】
期間設定部３４１は、つり銭有高の平均変動値を求める期間を設定するものである。期間設定は、例えば、前日としても良いし、又本日から１週間前、１月間前等としても良い。また、期間設定は、例えば、当月、先月や今週、先週等のように、特定の月や週を指定して設定するようにしてもよい。期間の起算参入に、本日としても良いし又は前日としても良い。
【００７４】
平均変動値算出部３４２は、期間設定部３４１で設定された期間内のつり銭有高の平均変動値を金種毎に求めるものである。
【００７５】
ここで、平均変動値算出部３４２による平均変動値の求める方法は、様々な方法を適用することができる。例えば、設定期間内の金種別の枚数の平均値（例えば相加平均値、相乗平均値等）としても良いし、標準偏差としても良いし、また、設定期間における金種別の枚数の最大値と最小値とを求め、最大値と最小値との差分を設定日数で割った値としても良い。この実施形態では、平均変動値算出部３４２が、金種別の最大値と最小値との差分を設定日数で割った値を平均変動値として算出する方法を適用する場合を例示する。
【００７６】
必要枚数算出部３４３は、平均変動値算出部３４２により求められたつり銭金種別平均変動値と、現時点でのつり銭金種別有高又は過去の金種別のつり銭有高とに基づいて、金種別の必要枚数を求めるものである。
【００７７】
つり銭補充判別部３４４は、必要枚数算出部３４３による金種別の必要枚数に基づいて、つり銭の金種別枚数を補充すべきか否かを判別するものである。
【００７８】
つり銭有高予測部３５０は、売上金に基づいて、つり銭有高の金種別の必要枚数を判別するものである。
【００７９】
また、つり銭有高予測部３５０は、各現金処理機２−１及び２−２毎の金種別のつり銭有高を判別するようにしてもよいし、全ての現金処理機２−１及び２−２の金種別のつり銭有高の総額を判別するようにしてもよい。
【００８０】
つり銭有高予測部３５０は、売上金取得部３５１、金種枚数算出部３５２、つり銭補充判別部３５３を有する。
【００８１】
売上金取得部３５１は、データベース３２０から売上金データを読み出すものである。
【００８２】
金種枚数算出部３５２は、売上金取得部３５１により取得された売上金データに基づいて、つり銭の金種別枚数を算出するものである。ここで、金種枚数算出部３５２による具体的な算出方法については動作の項で詳細に説明する。
【００８３】
つり銭補充判別部３５３は、必要枚数算出部３５３による金種別の必要枚数に基づいて、つり銭の金種別枚数を補充すべきか否かを判別するものである。
【００８４】
現金バランス調整部３６０は、複数の現金処理機２−１及び２−２の間のつり銭有高を調整するものである。現金バランス調整部３６０は、複数の現金処理機２−１及び２−２の取引前のつり銭有高と、取引後の売上金合計値及びつり銭合計値とに基づいて、売上金とつり銭との間で現金の充当を行う現金充当処理部３６１を有する。
【００８５】
判別結果出力部３７０は、過去つり銭有高比較判別部３３０、つり銭有高変動値比較判別部３４０、つり銭有高予測部３５０のいずれによる判別結果を表示部（例えば、現金管理装置１−１が有するディスプレイ部等）に出力するものである。また、判別結果出力部３７０は、現金バランス調整部３６０による現金充当結果を表示部に出力する。
【００８６】
（Ａ−２）実施形態の動作
次に、この実施形態の現金管理システム１０における処理動作を、図面を参照しながら詳細に説明する。
【００８７】
なお、この実施形態では、例えば郵便事業者等の運輸機関において現金管理システム１０が利用される場合を例示して説明する。
【００８８】
図７は、運輸機関における現金管理システム１０の全体の運用の仕方を説明する説明図である。
【００８９】
図７に示すように、配送前に、職員や窓口担当者等の利用者が、現金処理機２からつり銭を出金する（Ｓ１）。そして、職員や窓口担当者等の利用者は、それぞれ担当業務を行う（Ｓ２）。例えば外回りの職員が配送を行うと、職員は携帯端末５により決済データを決済管理サーバ３宛に送信して決済データの登録を行う。また例えば、窓口担当者が業務を行うと、窓口担当者は窓口にある端末４による決済データを決済管理サーバ３宛に送信して決済データの登録を行う（Ｓ３）。その後、配送後に、利用者は、現金処理機２につり銭及び売上金を入金する（Ｓ４）。
【００９０】
現金管理部１−１及び１−２は、所定のタイミングで、それぞれ対応する現金処理機２−１及び２−２から、少なくとも、つり銭有高データ、売上金データ、担当者毎の入出金データ等の管理データを取得する。
【００９１】
さらに、一括管理を行う現金管理部１−１は、所定のタイミングで、他の現金管理部１−２が取得した現金管理部２−１の管理データを取得し、取得した管理データをデータベース３２０に保存する。
【００９２】
次に、現金管理部１−１における過去のつり銭有高との比較判別処理を、図面を参照しながら詳細に説明する。
【００９３】
図８は、この実施形態の過去のつり銭有高との比較判別処理を示すフローチャートである。
【００９４】
過去つり銭有高比較判別部３３０において、過去データ取得部３３１は、データベース３２０に記憶されている過去のつり銭有高のデータ（すなわち、前年度同日の金種別のつり銭有高のデータ）を取得する。また、過去データ取得部３３１は、現在の現金処理機２−１及び２−２における金種別のつり銭有高のデータもデータベース３２０から取得する。
【００９５】
過去データ取得部３３１が前年度同日の金種別のつり銭有高のデータを取得すると、過去データ比較部３３２が、前年度同日の金種別のつり銭有高と、現在の現金処理機２−１及び又は２−２における金種別のつり銭有高とを比較する。
【００９６】
具体的には、前年度同日の金種別のつり銭有高を「Ａ」とし、現在の現金処理機２−１及び又は２−２における金種別のつり銭有高を「Ｂ」とすると、過去データ比較部３３２は、「現在の現金処理機２−１及び２−２における金種別のつり銭有高Ｂ」と「前年度同日の金種別のつり銭有高Ａ」との差分Ｃを求める（Ｓ１０１）。
【００９７】
そして、差分Ｃが「Ｃ＞０」であるとき、過去データ比較部３３２は当該金種のつり銭枚数が過剰にあると判断する。すなわち、現金処理機２−１又は２−２から差分Ｃだけ回収することを出力する（Ｓ１０３）。
【００９８】
また、差分Ｃが「Ｃ＜０」であるとき、過去データ比較部３３２は当該金種のつり銭枚数が不足にあると判断する。すなわち、現金処理機２−１又は２−２から差分Ｃだけ補充することを出力する（Ｓ１０４）。
【００９９】
さらに、差分Ｃが「Ｃ＝０」であるとき、過去データ比較部３３２は当該金種のつり銭枚数の不足又は過剰がないと判断して処理を終了する。このとき、不足又は補充がない旨を出力してもよい。
【０１００】
なお、現金処理機２−１及び２−２毎に判断することで、各現金処理機２−１及び２−２における不足又は過剰を判別することができる。さらに現金処理機２−１及び２−２の金種別のつり銭有高の総計を用いて比較することで、当該支店において準備すべきつり銭有高が不足又は過剰か否かを判別できる。
【０１０１】
次に、この実施形態のつり銭有高変動値の比較判別処理の動作を、図面を参照しながら詳細に説明する。
【０１０２】
図９は、この実施形態のつり銭有高変動値の比較判別処理を示すフローチャートである。
【０１０３】
つり銭有高変動比較判別部３４０において、平均変動値算出部３４２が、設定された期間における各日のつり銭有高変動枚数を金種別で求める（Ｓ２０１）。
【０１０４】
例えば、任意の日付ｎとする。ここで、任意の日付ｎは、期間設定部３４１において設定された期間内の日付である。
【０１０５】
このとき、設定期間Ｎについては、本日の日付を設定期間内に含み本日の日付から遡ってＮ日間としても良いし、本日の日付を設定期間内含まず、前日の日付からＮ日間としても良い。
【０１０６】
平均変動値算出部３４２は、データベース３２０から、現金処理機２−１及び２−２の管理データを読み出し、当該日付ｎでのつり銭金種別有高最大枚数（最大値）Ｂｎ（ｍａｘ）と、つり銭金種別有高最小枚数（最小値）Ｂｎ（ｍｉｎ）とを取得する。
【０１０７】
そして、平均変動値算出部３４２は、当該日付ｎでのつり銭金種別最大枚数Ｂｎ（ｍａｘ）とつり銭金種別有高最小枚数Ｂｎ（ｍｉｎ）とに基づいて、当該日付ｎでのつり銭金種別有高の変動枚数Ｗｎを求める。
【０１０８】
ここで、例えば、現金処理機２−１の任意の日付ｎについて、取引前のつり銭金種別有高「Ｘ枚」のデータ、つり銭出金後のつり銭金種別有高「Ｙ枚」のデータがデータベース３２０に保存されているとする。
【０１０９】
このとき、平均変動値算出部３４２は、日付ｎでの取引前のつり銭金種別有高「Ｘ枚」をつり銭金種別最大枚数Ｂｎ（ｍａｘ）とし、つり銭出金後のつり銭金種別有高「Ｙ枚」をつり銭金種別有高最小枚数Ｂｎ（ｍｉｎ）として、当該日付ｎでのつり銭金種別有高の変動枚数Ｗｎを求める。
【０１１０】
平均変動値算出部３４２は、設定期間であるＮ日分のつり銭金種別有高の変動枚数Ｗｎを取得するまで、Ｓ２０１の処理を繰り返す（Ｓ２０２）。
【０１１１】
そして、設定期間Ｎ日分のつり銭金種別有高の変動枚数Ｗｎを取得すると（Ｓ２０２）、平均変動値算出部３４２は、つり銭金種別平均変動枚数Ｉを求める（Ｓ２０３）。
【０１１２】
例えば、平均変動値算出部３４２は、設定期間内の各日のつり銭金種別変動枚数Ｗｎを加算し、設定期間の日数Ｎで割った値を、つり銭金種別平均変動枚数Ｉとして求める。
【０１１３】
次に、必要枚数算出部３４３は、平均変動値算出部３４２により求められた近況のつり銭金種別平均変動枚数Ｉと、現時点でのつり銭金種別有高（枚数）Ｂとを比較して、金種別のつり銭有高が不足しているか否かを判別する（Ｓ２０４）。
【０１１４】
ここで、近況のつり銭金種別平均変動枚数Ｉと、現時点でのつり銭金種別有高Ｂとを比較するのは、現金処理機２−１及び２−２の近況の取引傾向に応じた枚数の金種別つり銭を用意すべきか否かを判断するためである。
【０１１５】
そして、Ｓ２０４において、現時点でのつり銭金種別有高Ｂが近況のつり銭金種別平均変動枚数Ｉ以下の場合（Ｂ−Ｉ≦０）、つり銭補充判定部３４４は、不足している（Ｂ−Ｉ）分を、対応する現金処理機２−１及び２−２に装填するようにする（Ｓ２０５）。
【０１１６】
一方、Ｓ２０４において、現時点でのつり銭金種別有高Ｂが近況のつり銭金種別平均変動枚数Ｉを超えている場合（Ｂ−Ｉ＞０）、必要枚数算出部３４３は、平均変動値算出部３４２により求められた近況のつり銭金種別平均変動枚数Ｉと、過去（例えば前年度）のつり銭金種別有高（枚数）Ａとを比較して、金種別のつり銭有高が不足しているか否かを判別する（Ｓ２０６）。
【０１１７】
そして、Ｓ２０６において、過去のつり銭金種別有高Ａが近況のつり銭金種別平均変動枚数Ｉを超えている場合（すなわち、Ａ−Ｉ＝Ｄ＞０）、つり銭補充判定部３４４は、対応する現金処理機２−１及び２−２からＤ分を回収するようにする（Ｓ２０８）。
【０１１８】
一方、Ｓ２０６において、過去のつり銭金種別有高Ａが近況のつり銭金種別平均変動枚数Ｉ未満の場合（すなわち、Ａ−Ｉ＝Ｄ＜０）、つり銭補充判定部３４４は、不足しているＤ分を対応する現金処理機２−１及び２−２に装填するようにする（Ｓ２０９）。
【０１１９】
なお、Ｓ２０６において、Ｄ＝０の場合には、つり銭補充判定部３４４は、つり銭金種別有高が不足も過剰もないと判断して処理を終了する。
【０１２０】
次に、この実施形態のつり銭有高の予測処理の動作を、図面を参照しながら詳細に説明する。
【０１２１】
図１０は、この実施形態のつり銭有高の予測処理を示すフローチャートである。
【０１２２】
つり銭有高予測部３５０において、売上金取得部３５１は、データベース３２０から売上金データを取得する。ここで、売上取得部３５１は、例えば、各担当者の売上金データを取得する。つまり、つり銭有高予測部３５０は、各担当者が業務に必要なつり銭金額を予測する。
【０１２３】
金種枚数算出部３５０は、取得された売上金データに基づいて、つり銭有高の金種別枚数を算出する。
【０１２４】
具体的には、図１０に示すように、金種枚数算出部３５０は、取得した売上金の金額を「Ｘ」とし、つり銭金額を算出するための金額を「Ｌ」とする。また、最高金種は１万円単位であるため、金種枚数算出部３５０は、式（１）により、つり銭金額を算出するための金額Ｌを算出する（Ｓ３０１）。
【０１２５】
Ｌ＝｛１００００-（Ｘ  ｍｏｄ  １００００）｝    …（１）
式（１）は、「１０，０００円−売上金を１０，０００円で割った余りの金額」を意味する。つまり、Ｌは、売上金のうち、最大金種の１万円未満の端数金額に相当する。
【０１２６】
ここで、つり銭金額を算出するための金額Ｌが「Ｌ＞０」の場合、金種枚数算出部３５０は、処理をＳ３０３に移行する。また、つり銭金額を算出するための金額Ｌが「Ｌ≦０」の場合、金種枚数算出部３５０は、処理をＳ３０６に移行する（Ｓ３０２）。
【０１２７】
次に、金種枚数算出部３５０は、式（２）により、お客様につり銭として支払う可能性のある最大金額Ｍを算出し、この金額Ｍの必要な金種枚数を算出する（Ｓ３０３）。
【０１２８】
Ｍ＝１００００−Ｌ    …（２）
式（２）について説明する。お客様は、１万円未満の端数について１万円を余分に払うことがある。そのような場合に、最高金種の１万円から、１万円未満の端数を差し引いた金額をつり銭としてお客様に支払うことになる。式（２）は、このような、お客様につり銭として支払う可能性のある最高金額Ｍを求めている。
【０１２９】
金種枚数算出部３５０は、金額Ｍを使用して、例えば、式（３−１）〜式（３−７）のｍｏｄ関数と、式（４−１）〜式（４−８）のｔｒｕｓｔ関数とを用いて必要な金種枚数を算出する。
【０１３０】
ｍｏｄ（Ｍ／５０００）＝Ｍ１    …（３−１）
ｍｏｄ（Ｍ１／１０００）＝Ｍ２    …（３−２）
ｍｏｄ（Ｍ２／５００）＝Ｍ３    …（３−３）
ｍｏｄ（Ｍ３／１００）＝Ｍ４    …（３−４）
ｍｏｄ（Ｍ４／５０）＝Ｍ５    …（３−５）
ｍｏｄ（Ｍ５／１０）＝Ｍ６    …（３−６）
ｍｏｄ（Ｍ６／５）＝Ｍ７    …（３−７）
ｔｒｕｎｋ（５０００／Ｍ）＝Ｎ１  （五千券のつり銭枚数）…（４−１）
ｔｒｕｎｋ（１０００／Ｍ１）＝Ｎ２  （千券のつり銭枚数）…（４−２）
ｔｒｕｎｋ（５００／Ｍ２）＝Ｎ３  （５００円硬貨のつり銭枚数）…（４−３）
ｔｒｕｎｋ（１００／Ｍ３）＝Ｎ４  （１００円硬貨のつり銭枚数）…（４−４）
ｔｒｕｎｋ（５０／Ｍ４）＝Ｎ５  （５０円硬貨のつり銭枚数）…（４−５）
ｔｒｕｎｋ（１０／Ｍ５）＝Ｎ６  （１０円硬貨のつり銭枚数）…（４−６）
ｔｒｕｎｋ（５／Ｍ６）＝Ｎ７  （５円硬貨のつり銭枚数）…（４−７）
ｔｒｕｎｋ（１／Ｍ７）＝Ｎ８  （１円硬貨のつり銭枚数）…（４−８）
上記の金種枚数の算出方法について、具体的な例を用いて説明する。
【０１３１】
例えば、売上金Ｍ＝１２２，２００円であるとする。
【０１３２】
この場合、金種枚数算出部３５１は、式（１）に従って、つり銭金額を算出するための金額Ｌ＝２，２００円を求める。
【０１３３】
Ｌ＝１２２，２００円  ｍｏｄ  １０，０００円＝２，２００円  …（１）
次に、金種枚数算出部３５１は、式（２）に従って、つり銭として支払う最高金額Ｍ＝７，８００円を求める。
【０１３４】
Ｍ＝１０，０００円−２，２００円＝７，８００円    …（２）
次に、金種枚数算出部３５１は、式（３−１）〜式（３−７）のｍｏｄ関数に基づいて、Ｍ１＝２，８００円、Ｍ２＝８００円、Ｍ３＝３００円、Ｍ４＝０円、Ｍ５＝０円、Ｍ６＝０円、Ｍ７＝０円を求める。
【０１３５】
そして、金種枚数算出部３５１は、式（４−１〜式（４−８）のｔｒｕｓｔ関数に基づいて、以下のように各金種の枚数を求める
Ｎ１＝ｔｒｕｎｋ（５，０００円／７，８００円）＝１枚
Ｎ２＝ｔｒｕｎｋ（１，０００円／（７，８００円  ｍｏｄ  ５，０００円））＝２枚
Ｎ３＝ｔｒｕｎｋ（５００円／（２，８００円  ｍｏｄ  １，０００円））＝１枚
Ｎ４＝ｔｒｕｎｋ（１００円／（８００円  ｍｏｄ  ５００円））＝３枚
Ｎ５＝ｔｒｕｎｋ（５０円／（３００円  ｍｏｄ  １００円））＝０枚
Ｎ６＝ｔｒｕｎｋ（１０円／（０円  ｍｏｄ  ５０円））＝０枚
Ｎ７＝ｔｒｕｎｋ（５円／（０円  ｍｏｄ１０円））＝０枚
Ｎ８＝ｔｒｕｎｋ（１円／（０円  ｍｏｄ  ５円）＝０枚
上記のようにして、売上金１２２，２００円の場合、金種枚数算出部３５１は、つり銭として支払う最高金額のための金種枚数として、５千円券：１枚、千円券：２枚、５００円硬貨１枚、１００円硬貨：３枚を求める。
【０１３６】
次に、つり銭補充判別部３５３は、Ｓ３０３の算出結果に基づいて、全ての担当者が業務に必要なつり銭金額の合計値Ｋを求める。そして、つり銭補充判別部３５３は、現在のつり銭有高Ｂと、必要なつり銭金額の合計値Ｋとを比較する（Ｓ３０５）。
【０１３７】
そして、（Ｂ−Ｋ）＞０の場合、つり銭補充判別部３５３は、処理をＳ３０６に移行する。すなわち、図８に示す過去のつり銭有高の比較判別処理を行う（Ｓ３０６）。
【０１３８】
一方、（Ｂ−Ｋ）≦０の場合、つり銭補充判別部３５３は、（Ｂ−Ｋ）分だけつり銭が不足するものと判別する（Ｓ３０７）。
【０１３９】
判別結果出力部３７０は、Ｓ３０７又は図８の判別結果を出力するようにする。
【０１４０】
次に、この実施形態の現金の調整処理の動作を、図面を参照しながら詳細に説明する。
【０１４１】
図１１は、この実施形態の現金の調整処理を示すフローチャートである。
【０１４２】
現金バランス調整部３６０は、データベース３２０に記憶されている各現金処理機２−１及び２−２の取引前のつり銭有高及び現金有高のデータをデータベース３２０から取得する（Ｓ４０１）。
【０１４３】
図１２は、現金処理機２−１及び２−２の取引前のつり銭有高及び現金有高を説明する説明図である。
【０１４４】
図１２に示すように、現金処理機２−１の取引前のつり銭有高及び現金有高は５０，０００円であり、現金処理機２−２の取引前のつり銭有高及び現金有高は５０，０００円であるとする。
【０１４５】
次に、現金バランス調整部３６０は、取引後（すなわち入金後）の各現金処理機２−１及び２−２の管理データをデータベース３２０から取得する（Ｓ４０２）。
【０１４６】
図１３は、現金処理機２−１及び２−２の取引後の管理データを説明する説明図である。
【０１４７】
図１３に示すように、管理データは、「出金元」、「入金元」、「売上金合計」、「つり銭有高」を項目とする。「出金元」及び「入金元」は、各担当者による出金元及び入金元が記載されている。また「入金元」には、各現金処理機２−１及び２−２での売上金とつり銭としての返納額とが記載される。さらに、「売上金合計」及び「つり銭残高」は、売上金の合計及びつり銭の合計が記載されている。
【０１４８】
現金充当処理部３６１は、図１２の取引前の各現金処理機２−１及び２−２のつり銭有高と、図１３の取引前の各現金処理機２−１及び２−２のつり銭有高とを比較する（Ｓ４０３）。
【０１４９】
そして、現金充当処理部３６１は、比較結果に基づいて、各現金処理機２−１及び２−２のつり銭有高が減少した場合、つり銭有高の減少額を求める（Ｓ４０４）。そして、現金充当処理部３６１は、売上金から減少額の相当額を減額すると共に、つり銭有高に減少額の相当額を加算する（Ｓ４０５）。
【０１５０】
また、現金充当処理部３６１は、比較結果に基づいて、各現金処理機２−１及び２−２のつり銭有高が増加した場合、つり銭有高の増加額を求める（Ｓ４０６）。そして、現金充当処理部３６１は、つり銭有高から増加額の相当額を減額すると共に、売上金に減少額の相当額を加算する（Ｓ４０７）。
【０１５１】
例えば、図１３の場合、担当者１及び担当者３は、現金処理機２−１で出金を行い、現金処理機２−２で入金を行ったとする。また、担当者４は、現金処理機２−２で出金を行い、現金処理機２−１で入金を行ったとする。
【０１５２】
この場合、現金充当処理部３６１は、現金処理機２−１の取引前のつり銭有高５０，０００円（図１２参照）と、現金処理機２−１の調整前のつり銭有高１０，０００円（図１３参照）とを比較する。
【０１５３】
そうすると、現金充当処理部３６１は、現金処理機２−１についてのつり銭有高は、４０，０００円だけ減ったことを認識する。
【０１５４】
従って、現金処理機２−１について、現金充当処理部３６１は、調整前の売上金合計４０，０００円から減少額相当の４０，０００円を減額し、調整前のつり銭有高１０，０００円に減少額相当の４０，０００円を加算する。
【０１５５】
また、現金充当処理部３６１は、現金処理機２−２の取引前のつり銭有高５０，０００円（図１２参照）と、現金処理機２−２の調整前のつり銭有高１４０，０００円（図１３参照）とを比較する。
【０１５６】
そうすると、現金充当処理部３６１は、現金処理機２−２についてのつり銭有高は、４０，０００円だけ増えたことを認識する。
【０１５７】
従って、現金処理機２−２について、現金充当処理部３６１は、調整前のつり銭有高１４０，０００円から増加額相当の４０，０００円を減算すると共に、調整前の売上金合計２５０，０００円に増加額相当の４０，０００円を加算する。
【０１５８】
上記のようにして、現金処理機２−１及び２−２のつり銭有高のバランスを図ることができる。
【０１５９】
なお、現金処理機２−１及び２−２の売上金については、現金管理装置１−１が、一括して現金処理機２−１及び２−２の売上金を管理している。従って、現金管理装置１−１は、出金元と入金元が異なっていても、正しく売上金を計上することができる。
【０１６０】
（Ａ−３）実施形態の効果
以上のように、この実施形態によれば、前年度と同日のつり銭金種別有高と最近の金種別有高、売上金から算出する必要つり銭金種枚数から、余剰なつり銭が収納されていないか、またはつり銭が不足していないかを判別し、適正なつり銭量の算出できる。また、この実施形態によれば、管理者の精神的負担が軽減し、会社として余剰な現金を他の投資に充当することが可能となる。
【０１６１】
（Ｂ）他の実施形態
上述した実施形態においても種々の変形実施形態を説明したが、本発明は、以下のような他の変形実施形態も適用することができる。
【０１６２】
（Ｂ−１）上述した実施形態では、複数台の現金処理機を設置することにより、現金処理機に収納されるつり銭有高の不足及びつり銭バランスの崩れを防止記する方法を説明した。しかし、上述した実施形態を適用することにより、１台の現金管理装置から売上金回収を実施することもできる。
【０１６３】
つまり、現金管理装置は、複数の現金処理機に収納される現金を管理することができる。現金処理機に入金される現金は、売上金と返納すべきつり銭からなる。従って、上述した実施形態では、収納される現金のうち、つり銭有高に注目することでつり銭有高を管理できるが、売上金に注目することで回収すべき売上金も管理できる。
【０１６４】
（Ｂ−２）上述した実施形態では、運輸機関の支店における現金管理システムに適用した場合を例示した。しかし、本発明は、運輸機関における現金管理システムに限定されるものではない。また、本発明は、ある支店における現金管理システムに限定されるものではなく、複数の支店間の現金管理システムにも適用することができる。
【符号の説明】
【０１６５】
１０…現金管理システム、１−１及び１−２…現金管理装置、２−１及び２−２…現金処理機、３１０…管理データ取得部、３２０…データベース、３３０…過去つり銭有高比較判別部、３４０…つり銭有高変動比較判別部、３５０…つり銭有高予測部、３６０…現金バランス調整部。
【図１】
2014052871.tif 000003
【図２】
2014052871.tif 000004
【図３】
2014052871.tif 000005
【図４】
2014052871.tif 000006
【図５】
2014052871.tif 000007
【図６】
2014052871.tif 000008
【図７】
2014052871.tif 000009
【図８】
2014052871.tif 000010
【図９】
2014052871.tif 000011
【図１０】
2014052871.tif 000012
【図１１】
2014052871.tif 000013
【図１２】
2014052871.tif 000014
【図１３】
2014052871.tif 000015
【図１４】
2014052871.tif 000016